(57)【要約】      （修正有）【課題】全系が小型でありながら、レンズの一部を交換することで、広角画角を含む２種類のスペックを得る。【解決手段】レンズシステムは、最も物体側の第１レンズ群ＬＦ１と、その像側に少なくとも１つの正レンズ群ＬＰを有する第１レンズ系と、第１レンズ群ＬＦ１に替わってＬＦ２を配置することで、全系焦点距離を望遠側にした第２レンズ系とを得ることが可能であり、かつ下記条件式を満たす。１．０＜Ｌ１／Ｌ２＜１．５、１．２＜ｆ２／ｆ１＜２．５、０．８＜Φ１／Φ２＜１．４、Ｌ１，Ｌ２：第１レンズ系と第２レンズ系の光学全長、ｆ１，ｆ２：第１レンズ系と第２レンズ系の焦点距離、Φ１，Φ２：第１レンズ系の最も物体側の面においた平面上での第１レンズ系、第２レンズ系の有効系。【選択図】図１（Ａ）
2018194765.tif 000002
【特許請求の範囲】
【請求項１】
最も物体側の第１レンズ群ＬＦ１と、その像側に少なくとも１つの正レンズ群ＬＰを有する第１レンズ系と、第１レンズ群ＬＦ１に替わってＬＦ２を配置することで、全系焦点距離を望遠側にした第２レンズ系とを得ることが可能であり、かつ下記条件式を満たすことを特徴とするレンズシステム。
１．０＜Ｌ１／Ｌ２＜１．５
１．２＜ｆ２／ｆ１＜２．５
０．８＜Φ１／Φ２＜１．４
・Ｌ１，Ｌ２：第１レンズ系と第２レンズ系の光学全長
・ｆ１，ｆ２：第１レンズ系と第２レンズ系の焦点距離
・Φ１，Φ２：第１レンズ系の最も物体側の面においた平面上での、
第１レンズ系、第２レンズ系の有効系
【請求項２】
第２レンズ系の第１レンズ群ＬＦ２のパワーが正であることを特徴とする請求項１に記載のレンズシステム。
【請求項３】
第１レンズ系の第１レンズ群ＬＦ１のパワーが正であることを特徴とする請求項１又はは請求項２に記載のレンズシステム。
【請求項４】
第１レンズ系、第２レンズ系共に、フォーカシングの際、少なくともＬＰを物体側に移動することを特徴とする請求項１乃至請求項３の何れか一項に記載のレンズシステム。
【請求項５】
第１レンズ系において、フォーカシングの際にＬＦ１も物体側に移動することを特徴とする請求項４に記載のレンズシステム。
【請求項６】
第２レンズ系において、フォーカシングの際にＬＦ２も物体側に移動することを特徴とする請求項４又は請求項５に記載のレンズシステム。
【請求項７】
下記条件式を満たすことを特徴とする請求項１乃至請求項６の何れか一項に記載のレンズシステム。
０．１＜Ｒ１／Ｌ１＜１．０
・Ｒ１：第１レンズ系の最も物体側の面の曲率半径
【請求項８】
下記条件式を満たすことを特徴とする請求項１乃至請求項７の何れか一項に記載のレンズシステム。
１．５＜ｆｐ／ｆ１＜３．５
・ｆｐ：前記正レンズ群ＬＰの焦点距離
【請求項９】
下記条件式を満たすことを特徴とする請求項１乃至請求項８の何れか一項に記載のレンズシステム。
１．２＜ｆｐ／ｆ２＜２．５
【請求項１０】
請求項１乃至請求項９の何れか一項に記載のレンズシステムを有することを特徴とする光学機器。
【発明の詳細な説明】
【技術分野】
【０００１】
本発明は、デジタルカメラやデジタルビデオカメラ等の、撮像装置に取り付け可能な交換レンズ装置用の光学系として好適なものである。
【背景技術】
【０００２】
従来から、一眼レフカメラ等の撮影光学系では、用途に応じて様々な焦点距離や口径の光学系が要望されている。その中で、単焦点レンズは、ズームレンズと比較して移動するレンズ群が少なく、構造を堅牢化しやすく、更には設計自由度も高まることから、大口径の光学系を比較的小型高性能、かつ安価で提供することができる。しかしながら、撮影画角が固定となるため、ズームレンズに対して利便性は低くなり、常用レンズとしての有用性は当然ながら落ちてくる。
【０００３】
そこで、特許文献１には、光学系の一部を共通化し、残りの部分を切り替えることで、２つのスペックを切り替え可能な光学システムが提案されている。それにより、提供側の観点では、光学系の一部やレンズ外装保持部の大部分を共通化できるため、開発効率が上がり、異なる焦点距離の単焦点レンズを容易かつ低価格で提供するメリットがある。その恩恵は当然ながら、ユーザー側にも、豊富なレンズラインナップかつ低価格という形で現れる。
【０００４】
しかしながら、広角画角を含む２つのスペックの光学系の一部を共通化したレンズシステムは、報告されていない。
【先行技術文献】
【特許文献】
【０００５】
【特許文献１】特開昭６１−１２９６１２号公報
【発明の概要】
【発明が解決しようとする課題】
【０００６】
特許文献１の光学システムは、絞りを挟んで正負の２群より成り、像側の負のレンズ群を共通化し、絞りより前側の正のレンズ群を置き換えることで、標準画角と中望遠画角の切り替えを可能にしている。
【０００７】
しかしながら、より広角側のレンズは、単独で設計しても大型化する傾向にあり、特に一眼レフカメラ等の交換レンズシステムにおいて、バックフォーカスを十分に確保した状態では、広角側の光学系がさらに大型化する傾向にある。
【０００８】
そのため、レンズ群を共通化する設計を試みた場合、もう一方の光学系にとっては、個別で最適化して設計するのに対し、本体が著しく大型化することになるため、共通化のメリットが著しく落ちてしまう。
【０００９】
そこで、本発明は、全系が小型でありながら、レンズの一部を交換することで、広角画角を含む２種類のスペックを得ることが可能なレンズシステムを得ることを目的としている。
【課題を解決するための手段】
【００１０】
上記の目的を達成するために、本発明に係るレンズシステムは、
最も物体側の第１レンズ群ＬＦ１と、その像側に少なくとも１つの正レンズ群ＬＰを有する第１レンズ系と、第１レンズ群ＬＦ１に替わってＬＦ２を配置することで、全系焦点距離を望遠側にした第２レンズ系とを得ることが可能であり、かつ下記条件式を満たすことを特徴としている。
【００１１】
１．０＜Ｌ１／Ｌ２＜１．５
１．２＜ｆ２／ｆ１＜２．５
０．８＜Φ１／Φ２＜１．４
・Ｌ１，Ｌ２：第１レンズ系と第２レンズ系の光学全長
・ｆ１，ｆ２：第１レンズ系と第２レンズ系の焦点距離
・Φ１，Φ２：第１レンズ系の最も物体側の面においた平面上での、
第１レンズ系、第２レンズ系の有効系
【発明の効果】
【００１２】
本発明によれば、全系が小型でありながら、レンズの一部を交換することで、広角画角を含む２種類のスペックを得ることが可能なレンズシステムを得ることができる。
【図面の簡単な説明】
【００１３】
【図１（Ａ）】本発明における実施例１の第１レンズ系、第２レンズ系の光学断面図
【図１（Ｂ）】本発明における実施例１の第１レンズ系、第２レンズ系の光学断面図
【図２】本発明における実施例１のレンズシステムの、メカ保持機部断面図
【図３（Ａ）】本発明における実施例１の第１レンズ系、第２レンズ系の、物体距離無限時における縦収差図
【図３（Ｂ）】本発明における実施例１の第１レンズ系、第２レンズ系の、物体距離無限時における縦収差図
【図４（Ａ）】本発明における実施例２の第１レンズ系、第２レンズ系の光学断面図
【図４（Ｂ）】本発明における実施例２の第１レンズ系、第２レンズ系の光学断面図
【図５】本発明における実施例２のレンズシステムの、メカ保持機部断面図
【図６（Ａ）】本発明における実施例２の第１レンズ系、第２レンズ系の、物体距離無限時における縦収差図
【図６（Ｂ）】本発明における実施例２の第１レンズ系、第２レンズ系の、物体距離無限時における縦収差図
【図７（Ａ）】本発明における実施例３の第１レンズ系、第２レンズ系の光学断面図
【図７（Ｂ）】本発明における実施例３の第１レンズ系、第２レンズ系の光学断面図
【図８】本発明における実施例３のレンズシステムの、メカ保持機部断面図
【図９（Ａ）】本発明における実施例３の第１レンズ系、第２レンズ系の、物体距離無限時における縦収差図
【図９（Ｂ）】本発明における実施例３の第１レンズ系、第２レンズ系の、物体距離無限時における縦収差図
【図１０】本発明の撮像装置の要部説明図
【発明を実施するための形態】
【００１４】
特許文献１の光学システムは、絞りを挟んで正負の２群構成より成り、像側の負のレンズ群を共通化し、絞りより前側の正のレンズ群を置き換えることで、標準画角と中望遠画角の切り替えを可能にしている。
【００１５】
この構成で、より広画角化かつバックフォーカスの確保を図った時、像側の共通レンズ部を負ではなく、正にすることが必須となって来る。
【００１６】
更には、広角画角の光学系のレトロフォーカス配置が強くなるため、全長及び前玉径が大きくなり、標準画角の光学系よりも、大型化する傾向にある。
【００１７】
また、広角画角の光学系と、長焦点距離の光学系で、像側の正レンズ群の共通化を前提とした時、長焦点距離側の光学系の画角があまりに離れて望遠画角にしようとすると、本来テレフォトタイプの構成が好ましくなるため、像側のレンズ群を正レンズ群とすることが困難になって来る。
【００１８】
次に、２つの光学系の外装部を共通化する際、２つの光学系の全長の差があまりに大きいと、大きい方に合わせて外装部を決定する必要があり、小さい方の光学系にとっては、個別で最適化して設計するのに対し、著しく大型化し、共通化のメリットが落ちることは言うまでもない。
【００１９】
広画角を含む２つの光学系での共通化を考える際、全長だけでなく、光線有効径が最大のポイントになる。最も物体側のレンズ面から物体に向かい、大きい角度で光線が通るため、双方の光学系において、保持部で蹴られないよう構成することが重要になる。具体的には、広角画角の光学系の最も物体側の面頂点位置に平面を置いた際、その平面での光線有効径に対し、長焦点距離側の光学系の同面上での光線有効径が、ほぼ同等になると、効率的に双方の光学系の光線を蹴らずに、全系を小型化することができる。
【００２０】
以上より、本発明を実施するにあたり最良の形態としては、最も物体側の第１レンズ群ＬＦ１と、その像側に少なくとも１つの正レンズ群ＬＰを有する第１レンズ系と、第１レンズ群ＬＦ１に替わってＬＦ２を配置することで、全系焦点距離を望遠側にした第２レンズ系とを得ることが可能であり、かつ下記条件式（１）（２）（３）を満たすことである。
【００２１】
１．０＜Ｌ１／Ｌ２＜１．５・・・（１）
１．２＜ｆ２／ｆ１＜２．５・・・（２）
０．８０＜Φ１／Φ２＜１．４・・・（３）
・Ｌ１，Ｌ２：第１レンズ系と第２レンズ系の光学全長
・ｆ１，ｆ２：第１レンズ系と第２レンズ系の焦点距離
・Φ１，Φ２：第１レンズ系の最も物体側の面においた平面上での、
第１レンズ系、第２レンズ系の光線有効系
条件式（１）は、第１レンズ系と第２レンズ系の光学全長の関係を最適にするための条件式である。条件式（１）の上限値を逸脱すると、長焦点距離側の第２レンズ系の光学系が小さ過ぎて、２つの光学系の保持機構を効果的に共通化しているとは言い難い。条件式（１）の下限値を逸脱すると、第１レンズ系が短過ぎ、広画角化が困難になってしまう。条件式（１）は、より好ましくは下記条件式（１Ａ）を満たすと良い。
【００２２】
１．０２＜Ｌ１／Ｌ２＜１．２・・・（１Ａ）
条件式（２）は、第１レンズ系と第２レンズ系の焦点距離の関係を最適にするための条件式である。条件式（２）の上限値を逸脱すると、広画角の第１レンズ系に対し、第２レンズ群の焦点距離が長くなり過ぎ、望遠画角となるため、テレフォトタイプが好ましく、像側の正レンズを配置して共通化を図ることが困難になる。条件式（２）の下限値を逸脱すると、第１レンズ系と第２レンズ系の焦点距離が近くなり過ぎ、別スペックを共通化する意味が薄れてくる。条件式（２）は、より好ましくは下記条件式（２Ａ）を満たすと良い。
【００２３】
１．３＜ｆ２／ｆ１＜２．０・・・（２Ａ）
条件式（３）は、光学系を保持する外装部を共通化するにあたり、全系を小型化するための条件式である。条件式（３）の上限値を逸脱すると、第１レンズ系の光線有効径が小さくなり過ぎ、広画角化が困難になってしまう。条件式（３）の下限値を逸脱すると、第１レンズ系の光線有効径が、第２レンズ系の光線有効径に対して大き過ぎて、第２レンズ系にとって効率的な共通化とは言い難くなる。条件式（３）は、より好ましくは下記条件式（３Ａ）を満たすと良い。
【００２４】
０．９０＜Φ１／Φ２＜１．２０・・・（３Ａ）
次に、本発明を実施するにあたり、より好ましい条件について説明する。本発明のレンズシステムは、第２レンズ系の第１レンズ群ＬＦ２のパワーが正であると良い。それにより、全系の主点位置を像側から離し、標準から中望遠域の焦点距離を得やすくしている。
【００２５】
次に、第１レンズ系の第１レンズ群ＬＦ１のパワーが正であると良い。第１レンズ系は、広角であるため、負正の配置とすることも考えられるが、その場合、短焦点距離にするために、正のレンズ群のパワーが著しく強くなるため、標準や中望遠の焦点距離と共通化するには適さない。そのため、正正でパワーを分け合うレンズタイプが好ましい。
【００２６】
次に、本発明のレンズシステムは、第１レンズ系、第２レンズ系共に、フォーカシングの際、少なくともＬＰを物体側に移動すると良い。それにより、光学性能を得やすい上に、第１レンズ系と第２レンズ系のフォーカシング機構も合わせて共通化することができる。
【００２７】
次に、本発明のレンズシステムは、第１レンズ系において、フォーカシングの際にＬＦ１も物体側に移動すると良い。それにより、物体距離による光学性能の変動を小さくすることができる。
【００２８】
次に、本発明のレンズシステムは、第２レンズ系において、フォーカシングの際にＬＦ２も物体側に移動すると良い。それにより、物体距離による光学性能の変動を小さくすることができる。
【００２９】
次に、本発明のレンズシステムは、下記条件式（４）を満たすと良い。
【００３０】
０．１＜Ｒ１／Ｌ１＜１．０・・・（４）
・Ｒ１：第１レンズ系の最も物体側の面の曲率半径
それにより、本体の外径を小さくしつつ、レンズ系１の光学性能を高めることができる。条件式（４）の上限値を逸脱すると、最も物体側の面の曲率半径が緩すぎて、歪曲収差が大きく発生してしまうため、好ましくない。条件式（４）の下限値を逸脱すると、最も物体側の面の曲率半径がきつすぎて、最大画角の光線を蹴らないように本体外径を決めると、大型化してしまうため、好ましくない。条件式（４）は、より好ましくは、下記条件式（４Ａ）を満たすと良い。
【００３１】
０．２＜Ｒ１／Ｌ１＜０．７・・・（４Ａ）
次に、本発明のレンズシステムは、下記条件式（５）（６）を満たすと良い。
【００３２】
１．５＜ｆｐ／ｆ１＜３．５・・・（５）
１．２＜ｆｐ／ｆ２＜２．５・・・（６）
・ｆｐ：前記正レンズ群ＬＰの焦点距離
条件式（５）（６）は、前記正レンズ群ＬＰを、広角のレンズ系１と、標準から中望遠のレンズ系２とで共通化するに当たり、双方にとって良好なパワー配置にするための条件式である。条件式（５）の上限値を逸脱すると、ＬＰのパワーが弱過ぎて、レンズ系１の広角化に適さない。条件式（５）の下限値を逸脱すると、ＬＰのパワーが強過ぎて、レンズ系２を長焦点距離にしづらくなる。
【００３３】
条件式（６）の上演値を逸脱すると、ＬＰのパワーが弱過ぎて、レンズ系１の広角化に適さない。条件式（６）の下限値を逸脱すると、ＬＰのパワーが強過ぎて、レンズ系２を長焦点距離にしづらくなる。
【００３４】
条件式（５）（６）は、より好ましくは下記条件式（５Ａ）（６Ａ）を満たすと良い。
【００３５】
１．８＜ｆｐ／ｆ１＜３．０・・・（５Ａ）
１．４＜ｆｐ／ｆ２＜２．０・・・（６Ａ）
本発明は、上述のような光学システムを有する光学機器（例えば撮像装置、画像投影装置やその他の光学機器）に、種々適用可能である。
【００３６】
以下、本発明の実施形態１から３について、図面を参照しながら説明する。図１、４、７は、本発明における実施形態１から３のレンズシステムの、（Ａ）第１レンズ系、（Ｂ）第２レンズ系における、光学断面図である。図２、５、８は、本発明における実施形態１から３のレンズシステムの、メカ保持機構の断面図である。中心線を境に、上側が第１レンズ系であり、下側が第２レンズ系となっている。
【００３７】
図３、６、９は、本発明における実施形態１から３のレンズシステムの、（Ａ）第１レンズ系、（Ｂ）第２レンズ系における、縦収差図である。それぞれの収差図は、左から順に、球面収差（軸上色収差）、非点収差、歪曲、倍率色収差を表している。球面収差と倍率色収差を示す図において、実線はｄ線（５８７．６ｎｍ）、破線はｇ線（４３５．８ｎｍ）を表している。また、非点収差を示す図において、実線はｄ線のサジタル方向、破線はｄ線のメリディオナル方向を表している。また、歪曲を示す図は、ｄ線における歪曲を表している。
【００３８】
数値実施例１から３に、実施形態１から３のレンズシステムの、第１レンズ系、第２レンズ系のレンズデータを示す。これらの数値実施例では、物体側からの各面の順序、各光学面の曲率半径ｒ、各光学面の間隔ｄ、各光学部材のｄ線における屈折率ｎｄ、アッベ数νｄ、光線有効径を示している。また、焦点距離、Ｆナンバー等のスペックに加え、画角は全系の半画角、像高は半画角を決定する最大像高、レンズ全長は第１レンズ面から最終レンズ面までの距離、ＢＦは最終レンズ面から像面までの長さを示している。
【００３９】
非球面は、光軸に垂直な方向にＲ離れた位置での、光軸方向の面位置をＳａｇ（Ｒ）とした時、
【００４０】
【数１】
2018194765.tif 000003
【００４１】
の関係を満足する形状であり、各非球面の非球面係数を各表に記す。
【００４２】
尚、以下に記載する数値実施例１から３のレンズデータに基づく、各条件式の計算結果を表１に示す。
（数値実施例１）
レンズ系１
単位 mm
面データ
面番号       r        d      nd         vd       有効径
(0          ∞       0.00                         63.80)
1         44.967    2.50   1.84666    23.8       49.61
2         25.918    4.96                         41.28
3         41.238    2.20   1.76385    48.5       41.09
4         24.418    5.85                         36.22
5         69.710    5.45   1.83481    42.7       36.15
6       -124.667    0.15                         35.40
7         75.408    1.70   1.49700    81.5       31.70
8         19.265    7.77                         26.76
9        -39.080    1.40   1.49700    81.5       26.76
10         53.281    0.93                         26.42
11         74.827    5.87   2.00069    25.5       26.49
12       2994.013    1.14                         26.03
13         42.553   10.65   1.48749    70.2       25.46
14        -29.939   11.70                         23.98
15(絞り)    ∞       3.25                         21.38
16        -44.937    1.10   1.51742    52.4       21.09
17         38.511    0.15                         21.36
18         26.515    7.64   1.49700    81.5       21.78
19        -22.204    0.68                         21.70
20        -19.206    1.20   1.56732    42.8       21.56
21        252.687    0.15                         22.16
22         39.631    8.97   1.49700    81.5       24.20
23        -23.873    0.15                         25.69
24*       -81.822    2.00   1.58313    59.4       25.85
25*         ∞      10.00                         27.00
26          ∞                                    40.85
非球面データ
第24面
K = 0.00000e+000  A 4= 1.45871e-005  A 6=-1.46224e-007  A 8= 1.33017e-010  A10=-5.75151e-013  
第25面
K = 0.00000e+000  A 4= 3.62967e-005  A 6=-1.02257e-007  A 8= 8.95378e-011  A10= 5.45122e-014  
焦点距離      35.72  
Fナンバー      2.90  
画角          43.28  
像高          33.63  
レンズ全長   144.59  
BF            47.02
ズームレンズ群データ
群  始面    焦点距離  レンズ構成長  前側主点位置  後側主点位置
1    1     101.24        50.57        70.07         82.95
2   15      82.92        25.30        20.37          3.36
レンズ系２
単位 mm
面データ
面番号       r        d      nd         vd       有効径
(0          ∞       7.85                         64.90)
1         51.246    7.11   1.80400    46.6       46.36
2        565.006    1.06                         44.01
3       -382.687    2.30   1.62588    35.7       44.00
4         28.876    2.95                         34.08
5         52.348    4.68   1.77250    49.6       33.88
6         23.517   12.80                         28.25
7        -41.198    1.40   1.57099    50.8       25.70
8         79.144    0.15                         25.66
9         51.857    5.28   1.76385    48.5       25.78
10        -39.143    3.37                         25.60
11         45.308    4.02   2.00069    25.5       23.41
12         70.155    9.25                         22.61
13(絞り)    ∞       3.25                         21.40
14        -44.937    1.10   1.51742    52.4       21.11
15         38.511    0.15                         21.39
16         26.515    7.64   1.49700    81.5       21.81
17        -22.204    0.68                         21.73
18        -19.206    1.20   1.56732    42.8       21.59
19        252.687    0.15                         22.15
20         39.631    8.97   1.49700    81.5       24.24
21        -23.873    0.15                         25.71
22*       -81.822    2.00   1.58313    59.4       25.85
23*         ∞      10.00                         26.99
24          ∞                                    41.94
非球面データ
第22面
K = 0.00000e+000  A 4= 1.45871e-005  A 6=-1.46224e-007  A 8= 1.33017e-010  A10=-5.75151e-013  
第23面
K = 0.00000e+000  A 4= 3.62967e-005  A 6=-1.02257e-007  A 8= 8.95378e-011  A10= 5.45122e-014  
焦点距離      49.52  
Fナンバー      2.90  
画角          34.18  
像高          33.63  
レンズ全長   136.70  
BF            47.02  
ズームレンズ群データ
群  始面    焦点距離  レンズ構成長  前側主点位置  後側主点位置
1    1     140.31        45.13        63.05         41.34
2   13      82.92        25.30        20.37          3.36
（数値実施例２）
レンズ系１
単位 mm
面データ
面番号       r        d      nd         vd       有効径
(0          ∞       0.00                         65.80)
1         82.087    4.89   1.51633    64.1       56.34
2        231.127    0.15                         54.28
3         58.645    2.30   1.76385    48.5       45.99
4         17.837   10.07                         32.66
5        149.709    4.49   1.90366    31.3       32.53
6        -71.807    1.70   1.49700    81.5       31.95
7         23.779    4.55                         27.51
8       2810.546   13.78   1.91082    35.3       27.47
9        -90.720    1.30                         26.21
10        -44.409    1.40   1.91082    35.3       26.07
11       -148.220    0.15                         26.24
12         72.192    9.30   1.48749    70.2       26.15
13        -17.050    1.40   1.72000    50.2       25.81
14        -22.380   13.15                         26.36
15         21.434    5.46   1.43875    94.9       23.45
16        246.618    2.26                         22.47
17(絞り)    ∞       1.49                         21.26
18         98.133    1.00   1.77250    49.6       20.14
19         14.120    4.79   1.49700    81.5       18.72
20         51.205    4.73                         18.67
21        -17.475    1.10   1.74950    35.3       19.48
22        -38.560    0.16                         22.42
23       -540.847    6.07   1.76385    48.5       25.93
24*       -22.355   10.00                         27.60
25          ∞                                    41.49
非球面データ
第24面
K = 0.00000e+000  A 4= 8.05460e-006  A 6=-4.76624e-010  A 8= 9.27843e-011  A10=-2.68214e-013  
焦点距離      35.72  
Fナンバー      2.90  
画角          43.28  
像高          33.63  
レンズ全長   150.46  
BF            44.81  
ズームレンズ群データ
群  始面    焦点距離  レンズ構成長  前側主点位置  後側主点位置
1    1     159.90        55.47       103.63        157.19
2   15      82.48        27.04        17.15         -9.25
レンズ系２
単位 mm
面データ
面番号       r        d      nd         vd       有効径
(0          ∞       7.45                         57.50)
1         65.981    2.20   1.48749    70.2       42.53
2         32.656    6.00                         37.52
3        775.951    1.80   1.49700    81.5       37.24
4         37.571    4.81                         33.80
5       -241.323   18.76   1.83400    37.2       33.72
6        -62.521    2.06                         30.86
7        -45.126    1.60   1.60342    38.0       29.61
8         32.636    6.31   1.76385    48.5       28.32
9        -77.716    0.15                         28.05
10         51.795    5.25   1.91082    35.3       26.54
11         69.421   12.19                         24.94
12         21.434    5.46   1.43875    94.9       23.46
13        246.618    2.26                         22.48
14(絞り)    ∞       1.49                         21.27
15         98.133    1.00   1.77250    49.6       20.19
16         14.120    4.79   1.49700    81.5       18.74
17         51.205    4.73                         18.69
18        -17.475    1.10   1.74950    35.3       19.53
19        -38.560    0.16                         22.45
20       -540.847    6.07   1.76385    48.5       25.95
21*       -22.355   10.00                         27.62
22          ∞                                    43.16
非球面データ
第21面
K = 0.00000e+000  A 4= 8.05460e-006  A 6=-4.76624e-010  A 8= 9.27843e-011  A10=-2.68214e-013  
焦点距離      49.52
Fナンバー      2.90
画角          34.18
像高          33.63
レンズ全長   143.01 
BF            44.83
ズームレンズ群データ
群  始面    焦点距離  レンズ構成長  前側主点位置  後側主点位置
1    1     222.05        48.94        89.95         94.65
2   12      82.48        27.04        17.15         -9.25
（数値実施例３）
レンズ系１
単位 mm
面データ
面番号       r        d      nd         vd       有効径
(0          ∞       0.00                         65.80)
1         77.656    5.18   1.51633    64.1       55.93
2        195.578    0.15                         53.42
3         58.884    2.30   1.76385    48.5       45.92
4         19.633    8.96                         34.03
5        125.504    4.50   1.77250    49.6       33.85
6        -87.272    1.70   1.49700    81.5       32.94
7         22.720    5.12                         27.41
8       -233.732   13.90   1.77250    49.6       27.36
9        -63.687    4.58                         25.51
10        -33.339    1.40   1.65160    58.5       23.88
11       -147.353    0.15                         24.05
12         80.937    8.31   1.58144    40.8       24.87
13        -18.153    1.40   1.85478    24.8       25.33
14        -25.064   10.22                         26.65
15(絞り)    ∞       2.36                         25.21
16         19.358    7.06   1.43875    94.9       24.56
17       -153.104    0.15                         23.39
18        142.327    1.20   1.72916    54.7       22.46
19         12.959    5.68   1.49700    81.5       19.70
20         46.009    4.34                         19.58
21        -17.215    1.10   1.62588    35.7       19.67
22        -49.032    0.14                         22.13
23*      -671.829    5.80   1.58313    59.4       23.86
24*       -19.996   10.00                         25.46
25          ∞                                    40.88
非球面データ
第23面
K = 0.00000e+000  A 4=-6.01131e-006  A 6= 9.84694e-009  A 8= 7.52189e-011  A10= 2.23751e-013  
第24面
K = 0.00000e+000  A 4= 8.84692e-006  A 6= 3.19963e-008  A 8=-1.22848e-010  A10= 1.17539e-012  
焦点距離      35.72  
Fナンバー      2.87  
画角          43.28  
像高          33.63  
レンズ全長   150.51  
BF            44.82  
ズームレンズ群データ
群  始面    焦点距離  レンズ構成長  前側主点位置  後側主点位置
1    1     154.42        57.64       104.98        161.32
2   15      88.13        27.83        12.71        -12.92
レンズ系２
単位 mm
面データ
面番号       r        d      nd         vd       有効径
(0          ∞      14.40                         62.00)
1         79.079    2.20   1.48749    70.2       39.24
2         25.074    7.71                         33.14
3       -714.157    1.80   1.49700    81.5       32.23
4         43.454    4.55                         30.15
5       -213.391    1.60   1.69895    30.1       29.75
6         30.485    7.27   1.76385    48.5       29.07
7        -58.944    1.60                         28.80
8        -51.926    1.60   1.51823    58.9       27.73
9         31.268   11.69   1.76385    48.5       26.79
10       -144.655    0.15                         26.26
11         55.472    2.18   1.84666    23.8       26.34
12         94.120   11.10                         26.07
13(絞り)    ∞       2.36                         25.06
14         19.358    7.06   1.43875    94.9       24.51
15       -153.104    0.15                         23.32
16        142.327    1.20   1.72916    54.7       22.40
17         12.959    5.68   1.49700    81.5       19.70
18         46.009    4.34                         19.58
19        -17.215    1.10   1.62588    35.7       19.67
20        -49.032    0.14                         22.13
21*      -671.829    5.80   1.58313    59.4       23.86
22*       -19.996   10.00                         25.46
23          ∞                                    42.62
非球面データ
第21面
K = 0.00000e+000  A 4=-6.01131e-006  A 6= 9.84694e-009  A 8= 7.52189e-011  A10= 2.23751e-013  
第22面
K = 0.00000e+000  A 4= 8.84692e-006  A 6= 3.19963e-008  A 8=-1.22848e-010  A10= 1.17539e-012  
焦点距離      49.53  
Fナンバー      2.89  
画角          34.18  
像高          33.63  
レンズ全長   136.13  
BF            44.84  
ズームレンズ群データ
群  始面    焦点距離  レンズ構成長  前側主点位置  後側主点位置
1    1     214.24        42.36        90.45        102.67
2   13      88.13        27.83        12.71        -12.92
【００４３】
【表１】
2018194765.tif 000004
【００４４】
以下、各実施形態における詳細な構成について説明する。実施形態１は、物体側より順に、正のレンズ群ＬＦ１、正のレンズ群ＬＰより成る第１レンズ系と、正のレンズ群ＬＦ２、正のレンズ群ＬＰより成る第２レンズ系より構成されるレンズシステムである。
第１レンズ系は、最大画角４３．３度でＦ値が２．９の広角レンズであり、第２レンズ系は、最大画角３４．２度でＦ値が２．９の標準レンズである。
【００４５】
第１レンズ系と第２レンズ系は、共にＬＰを物体側に移動することで、メインのフォーカシング効果を得つつ、それぞれＬＦ１，ＬＦ２も物体側に移動することで、収差変動を補正している。
【００４６】
第１レンズ系と第２レンズ系の全長の関係は、条件式（１）を満たし、最も物体側の面頂点に置いた平面における有効径の関係は、条件式（３）を満たしており、本体を過剰に大きくすることなく、ＬＰを共通化している。
【００４７】
次に、第１レンズ系と第２レンズ系の焦点距離の関係が、条件式（２）を満たすことにより、共通化をしつつも、十分なスペック変更をしている。
【００４８】
また、本システムは、図２に示す通り、レンズ群ＬＰだけでなく、フォーカシング駆動機構や本体の大部分も共通化することに成功している。
【００４９】
次に、実施形態２．は、物体側より順に、正のレンズ群ＬＦ１、正のレンズ群ＬＰより成る第１レンズ系と、正のレンズ群ＬＦ２、正のレンズ群ＬＰより成る第２レンズ系より構成されるレンズシステムである。
【００５０】
第１レンズ系は、最大画角４３．３度でＦ値が２．９の広角レンズであり、第２レンズ系は、最大画角３４．２度でＦ値が２．９の標準レンズである。
各レンズ系の働きは、実施形態１と同様である。
【００５１】
次に、実施形態３．は、物体側より順に、正のレンズ群ＬＦ１、正のレンズ群ＬＰより成る第１レンズ系と、正のレンズ群ＬＦ２、正のレンズ群ＬＰより成る第２レンズ系より構成されるレンズシステムである。
第１レンズ系は、最大画角４３．３度でＦ値が２．８７の広角レンズであり、第２レンズ系は、最大画角３４．２度でＦ値が２．８９の標準レンズである。
【００５２】
各レンズ系の働きは、実施形態１と同様である。
【００５３】
図１０に、一眼レフカメラの要部概略図を示す。図１０は、実施形態１から３レンズシステム１を有する光学機器である。レンズシステム１は保持部材である鏡筒２に保持されている。２０はカメラ本体であり、レンズシステム１からの光束を上方に反射するクイックリターンミラー３、レンズシステム１の像形成装置に配置された焦点板４より構成されている。更に焦点板４に形成された逆像を正立像に変換するペンタダハプリズム５、その正立像を観察するための接眼レンズ６などによって構成されている。
【００５４】
７は感光面であり、ＣＣＤセンサやＣＭＯＳセンサ等のズームレンズによって形成される像を受光する固体撮像素子（光電変換素子）や銀塩フィルムが配置される。撮影時にはクイックリターンミラー３が光路から退避して、感光面７上に撮影レンズ１によって像が形成される。
【００５５】
実施例１から３にて説明した利益は本実施例に開示したような撮像装置において効果的に享受される。撮像装置としてクイックリターンミラー３のないミラーレスの一眼レフカメラにも同様に適用できる。
【００５６】
以上、本発明の好ましい光学系の実施例について説明したが、本発明はこれらの実施例に限定されないことは言うまでもなく、その要旨の範囲内で種々の変形及び変更が可能である。
【符号の説明】
【００５７】
ＳＰ  絞り、ＩＰ  撮像面、ＬＦ１，ＬＦ２，ＬＰ  各レンズ群
【図１（Ａ）】
2018194765.tif 000005
【図１（Ｂ）】
2018194765.tif 000006
【図２】
2018194765.tif 000007
【図３（Ａ）】
2018194765.tif 000008
【図３（Ｂ）】
2018194765.tif 000009
【図４（Ａ）】
2018194765.tif 000010
【図４（Ｂ）】
2018194765.tif 000011
【図５】
2018194765.tif 000012
【図６（Ａ）】
2018194765.tif 000013
【図６（Ｂ）】
2018194765.tif 000014
【図７（Ａ）】
2018194765.tif 000015
【図７（Ｂ）】
2018194765.tif 000016
【図８】
2018194765.tif 000017
【図９（Ａ）】
2018194765.tif 000018
【図９（Ｂ）】
2018194765.tif 000019
【図１０】
2018194765.tif 000020